(57)【要約】【課題】同一のハードウェアを使用した異なる機能の複数形番を持つ製品を製造・販売する場合において、製造元におけるコストや管理負荷を低減する。【解決手段】システム製品を構成する各製品のうちのいずれかに適用され、当該各製品の機能形番を管理するものであって、システム製品を構成するすべての製品の機能形番が記録された機能形番データを取得する機能形番データ取得手段１１ａと、システム製品の構築が完了した後、機能形番データ取得手段１１ａにより取得された機能形番データに基づいて、当該システム製品を構成する各製品に対し、該当する機能形番を展開する機能形番展開手段１２ａとを備えた。【選択図】図１
2014106778.tif 000002
【特許請求の範囲】
【請求項１】
システム製品を構成する各製品のうちのいずれかに適用され、当該各製品の機能形番を管理する形番管理装置であって、
前記システム製品を構成するすべての製品の機能形番が記録された機能形番データを取得する機能形番データ取得手段と、
前記システム製品の構築が完了した後、前記機能形番データ取得手段により取得された機能形番データに基づいて、当該システム製品を構成する各製品に対し、該当する機能形番を展開する機能形番展開手段と
を備えたことを特徴とする形番管理装置。
【請求項２】
システム製品を構成する各製品のうちのいずれかに適用され、当該各製品の機能形番を管理する形番管理装置による形番管理方法であって、
前記システム製品を構成するすべての製品の機能形番が記録された機能形番データを取得する機能形番データ取得ステップと、
前記システム製品の構築が完了した後、前記機能形番データ取得ステップにおいて取得した機能形番データに基づいて、当該システム製品を構成する各製品に対し、該当する機能形番を展開する機能形番展開ステップと
を有することを特徴とする形番管理方法。
【発明の詳細な説明】
【技術分野】
【０００１】
この発明は、システム製品を構成する各製品の機能形番を管理する形番管理装置及び形番管理方法に関するものである。
【背景技術】
【０００２】
従来から、システム製品において構成要素となる個々の製品が、同一ハードウェアをベースとし、かつ、異なる機能の形番を持つものであるケースは多くある。このような同一のハードウェアを使用した異なる機能の複数形番を持つ製品を製造・販売する場合、図５に示すように、製造元からハードウェアを出荷する時点で、どの機能の製品とするかを切替えるための機能形番（図５では、機能形番Ａ１，Ｂ１，Ｂ２）を投入して出荷するのが一般的である。また、出荷後の製品故障の際の代替機や予備機についても、機能形番を投入して出荷を行っている（例えば特許文献１，２参照）。
【先行技術文献】
【特許文献】
【０００３】
【特許文献１】特開２００１−３０６６６２号公報
【特許文献２】特開２００９−１９３２３７号公報
【発明の概要】
【発明が解決しようとする課題】
【０００４】
しかしながら、特許文献１，２に開示された従来の手法では、製造元において、ハードウェアに機能形番を投入する作業が発生するだけではなく、同一ハードウェアにも関わらず機能形番ごとに出荷記録を管理しなければならない。そのため、製造元におけるコストや管理負荷がかかるという課題があった。
【０００５】
この発明は、上記のような課題を解決するためになされたもので、同一のハードウェアを使用した異なる機能の複数形番を持つ製品を製造・販売する場合において、製造元におけるコストや管理負荷を低減することができる形番管理装置および形番管理方法を提供することを目的としている。
【課題を解決するための手段】
【０００６】
この発明に係る形番管理装置は、システム製品を構成する各製品のうちのいずれかに適用され、当該各製品の機能形番を管理する形番管理装置であって、システム製品を構成するすべての製品の機能形番が記録された機能形番データを取得する機能形番データ取得手段と、システム製品の構築が完了した後、機能形番データ取得手段により取得された機能形番データに基づいて、当該システム製品を構成する各製品に対し、該当する機能形番を展開する機能形番展開手段とを備えたものである。
【０００７】
また、この発明に係る形番管理方法は、システム製品を構成する各製品のうちのいずれかに適用され、当該各製品の機能形番を管理する形番管理装置による形番管理方法であって、システム製品を構成するすべての製品の機能形番が記録された機能形番データを取得する機能形番データ取得ステップと、システム製品の構築が完了した後、機能形番データ取得ステップにおいて取得した機能形番データに基づいて、当該システム製品を構成する各製品に対し、該当する機能形番を展開する機能形番展開ステップとを有するものである。
【発明の効果】
【０００８】
この発明によれば、上記のように構成したので、同一のハードウェアを使用した異なる機能の複数形番を持つ製品を製造・販売する場合において、製造元におけるコストや管理負荷を低減することができる。
【図面の簡単な説明】
【０００９】
【図１】この発明の実施の形態１に係る形番管理方法が適用されたシステム製品を構成する製品の製造元・客先での状態を示す図である。
【図２】この発明の実施の形態１に係る形番管理装置の構成を示す図である。
【図３】この発明の実施の形態１に係る形番管理装置の動作を示すフローチャートである。
【図４】この発明の実施の形態１における機能形番データを示す図である。
【図５】従来のシステム製品を構成する製品の製造元・客先での状態を示す図である。
【発明を実施するための形態】
【００１０】
以下、この発明の実施の形態について図面を参照しながら詳細に説明する。
実施の形態１．
図１はこの発明の実施の形態１に係る形番管理方法が適用されたシステム製品を構成する製品の製造元・客先での状態を示す図である。なお、図１に示すシステム製品は、形番管理マスターモジュール（形番管理装置）である機能形番Ａ１製品１ａ（機能形番Ａ１として機能するハードウェアＡ製品１）と、機能形番Ｂ１製品２ａ（機能形番Ｂ１として機能するハードウェアＢ製品２）と、機能形番Ｂ２製品２ｂ（機能形番Ｂ２として機能するハードウェアＢ製品２）とから構成されているものとする。なお、形番管理マスターモジュールとは、システム製品を構成する個々の製品の機能形番を管理する機能を有するものである。
【００１１】
この場合、製造元では、システム製品を構成する各製品（図１では、１台のハードウェアＡ製品１と２台のハードウェアＢ製品２）を製造・出荷するとともに、当該システム製品を構成するすべての製品の機能形番が記録された機能形番データ３を製造・出荷する。なお、製品を出荷する際、同一ハードウェア（図１では２台のハードウェアＢ製品２）についてはまとめて出荷管理を行う。
そして、客先において、ハードウェアＡ製品１に対して機能形番データ３を投入し、このハードウェアＡ製品１を形番管理マスターモジュールに定める。そして、システム製品の構築が完了し個々の製品が動作する際に、形番管理マスターモジュールから他の製品（２台のハードウェアＢ製品２）に対して機能形番を展開することで、個々の製品の機能形番を切替える。
【００１２】
次に、形番管理マスターモジュール（形番管理装置）の構成について、図２を参照しながら説明する。
形番管理マスターモジュールは、図２に示すように、機能形番データ取得手段１１ａおよび機能形番展開手段１２ａから構成されている。
【００１３】
機能形番データ取得手段１１ａは、機能形番データ３を取得するものである。
機能形番展開手段１２ａは、システム製品の構築が完了した後、機能形番データ取得手段１１ａにより取得された機能形番データ３に基づいて、当該システム製品を構成する各製品に対し、該当する機能形番を展開するものである。
【００１４】
次に、上記のように構成された形番管理マスターモジュールの動作について、図３を参照しながら説明する。
この形番管理マスターモジュールでは、図３に示すように、まず、機能形番データ取得手段１１ａは、システム製品を構成するすべての製品の機能形番が記録された機能形番データ３を取得する（ステップＳＴ１、機能形番データ取得ステップ）。
【００１５】
ここで、形番管理マスターモジュールが保持する機能形番データ３の一例を図４に示す。この図４に示す機能形番データ３では、ソフトウェアの形番（機能形番）に関するデータ３１と、ハードウェアの形番に関するデータ３２とから構成されている。そして、図４（ａ）に示すソフトウェアの形番に関するデータ３１では、機能ごとおよび管理ポイント点数ごとに異なる形番が付与されている。また、図４（ｂ）に示すハードウェアの形番に関するデータ３２では、ハードウェアごとに形番が付与され、それぞれに該当する機能形番が関連付けられて記録されている。
【００１６】
次いで、機能形番展開手段１２ａは、システム製品の構築が完了した後、機能形番データ取得手段１１ａにより取得された機能形番データ３に基づいて、当該システム製品を構成する各製品に対し、該当する機能形番を展開する（ステップＳＴ２、機能形番展開ステップ）。これにより、図１に示すように、形番管理マスターモジュールである機能形番Ａ１のハードウェアＡ製品１から、一方のハードウェアＢ製品２に対しては機能形番Ｂ１が展開され、他方のハードウェアＢ製品２に対しては機能形番Ｂ２が展開される。
【００１７】
このように構成することで、製造元において、同一のハードウェアを使用した異なる機能の複数の形番を持つ製品を出荷する際に、個々の製品に対して機能形番を投入する作業が不要となる。また、機能形番ごとに出荷記録を管理する必要もなくなる。
さらに、出荷先で製品故障が発生した場合での代替機については、機能形番が出荷先の形番管理マスターモジュールに保持されていることから、製造元では機能形番を投入せずに出荷すればよい。また、出荷先において予備品を準備しておく場合には、機能形番ごとに予備品を準備する必要はなく、同一のハードウェアについては１つ準備しておけばよい。
【００１８】
以上のように、この実施の形態１によれば、システム製品を構成する各製品のうちのいずれかを形番管理マスターモジュール（形番管理装置）に定め、当該形番管理マスターモジュールにて、システム製品を構成するすべての製品の機能形番が記録された機能形番データを取得し、当該データを基に当該システム製品を構成する各製品に対して該当する機能形番を展開するように構成したので、同一のハードウェアを使用した異なる機能の複数形番を持つ製品を製造・販売する場合において、製造元でのコストや管理付加を低減することができる。
【００１９】
なお、本願発明はその発明の範囲内において、実施の形態の任意の構成要素の変形、もしくは実施の形態の任意の構成要素の省略が可能である。
【符号の説明】
【００２０】
１  ハードウェアＡ製品
１ａ  機能形番Ａ１製品（形番管理マスターモジュール、形番管理装置）
２  ハードウェアＢ製品
２ａ  機能形番Ｂ１製品
２ｂ  機能形番Ｂ２製品
３  機能形番データ
１１ａ  機能形番データ取得手段
１２ａ  機能形番展開手段
【図１】
2014106778.tif 000003
【図２】
2014106778.tif 000004
【図３】
2014106778.tif 000005
【図４】
2014106778.tif 000006
【図５】
2014106778.tif 000007